(57)【要約】【課題】熱湯を注いで喫食する即席のラーメンやスープや味噌汁などを収容する、酸素や水蒸気などの各種バリアー性を付与して、収容物の味覚を長期に保持することができる、また熱湯を注いだ時に、胴部板２２の外面の、カップ原紙４との間に気泡を発生させたポリエチレン層５を手に持って、安全に喫食することができる、断熱性を有する発泡紙カップ容器を提供する。【解決手段】本発明は、カップ原紙４とシーラント層２との間にバリアーフィルム層３を積層して、またカップ原紙４の外面にポリエチレン層５を積層して、胴部板２２の一方の側面接合部ａと他方の側面接合部ｂとを重ねて熱融着して、底面板２４の周辺を巻込んで逆円錐台形状又は円筒台形状に成形した後に、オーブンなどで加熱して、カップ原紙４とポリエチレン層５との間に気泡を発生させた発泡紙カップ容器である。【選択図】図１
2004231197.tif 000002
【特許請求の範囲】
【請求項１】
カップ原紙４とシーラント層２とを積層して成る、逆円錐台形状又は円筒台形状の紙カップ容器２０において、紙カップ容器２０の内側には、カップ原紙４とシーラント層２との間にバリアーフィルム層３を積層して、また紙カップ容器２０の外側には、カップ原紙４にポリエチレン層５を積層して、胴部板２２の一方の側面接合部ａと他方の側面接合部ｂとを重ねて熱融着して、底面板２４の周辺を巻込んで逆円錐台形状又は円筒台形状に成形した後に、オーブンなどで加熱して、カップ原紙４とポリエチレン層５との間に気泡を発生させたことを特徴とする発泡紙カップ容器。
【請求項２】
請求項１に記載の発泡紙カップ容器において、胴部板２２の一方の側面接合部ａをカップ原紙４側に１８０度折返して、この折返した一方の側面接合部ａと他方の側面接合部ｂとを重ねて熱融着したことを特徴とする発泡紙カップ容器。
【請求項３】
請求項２に記載の発泡紙カップ容器において、胴部板２２の一方の側面接合部ａのカップ原紙４の外面側を、ポリエチレン層５とともに削り取って、この削り取った一方の側面接合部ａをカップ原紙４側に１８０度折返したことを特徴とする発泡紙カップ容器。
【発明の詳細な説明】
【０００１】
【発明の属する技術分野】
本発明は、熱湯を注いで喫食する即席のラーメンやスープや味噌汁などを収容する、酸素や水蒸気などの各種バリアー性を付与した、断熱性を有する発泡紙カップ容器に関する。
【０００２】
【従来の技術】
従来から、熱湯を注いで喫食する即席のラーメンやスープや味噌汁などを収容する、図４に示すような、適宜のカップ原紙４と適宜のシーラント層２とを積層して、胴部板３２の一方の側面接合部ａと他方の側面接合部ｂとを重ねて熱融着して、底面板３４の周辺を巻込んで逆円錐台形状又は図示していない円筒台形状に成形した、最も一般的な紙カップ容器３０において、胴部板３２のカップ原紙４の外面に、例えば発泡スチロール製や発泡ポリエチレン製などの、予め逆円錐台筒状又は円筒状に成形した発泡断熱カバー６を被せて、要所を接着するなどした紙カップ容器３０が、一般に広く用いられている。
【０００３】
【発明が解決しようとする課題】
ところが従来の、図４に示す紙カップ容器３０については、胴部板３２のカップ原紙４の外面に、予め逆円錐台筒状又は円筒状に成形した発泡断熱カバー６を被せたことによって、熱湯を注いだ時に、胴部板３２の外面の発泡断熱カバー６を手に持って、安全に喫食することができる、断熱性が優れた紙カップ容器３０であるものの、熱湯を注いで喫食する即席のラーメンやスープや味噌汁などを収容して、フランジ部ｃに図示していない適宜の蓋材を被せて密封した時に、適宜のカップ原紙４と適宜のシーラント層２とを積層して、逆円錐台形状又は円筒台形状に成形した胴部板３２と底面板３４とに、酸素や水蒸気などの各種バリアー性が不足しているために、収容物の味覚を長期に保持することができないことが問題であった。
【０００４】
また従来の、図４に示す紙カップ容器３０については、胴部板３２の一方の側面接合部ａと他方の側面接合部ｂとを重ねて熱融着して、底面板３４の周辺を巻込んで逆円錐台形状又は図示していない円筒台形状に成形した後に、予め逆円錐台筒状又は円筒状に成形した発泡断熱カバー６を被せて、要所を接着するなどの必要があるために、紙カップ容器３０の製造工程が煩雑になることが問題であった。
【０００５】
そこで、本発明の目的は、熱湯を注いで喫食する即席のラーメンやスープや味噌汁などを収容する、逆円錐台形状又は円筒台形状に成形した胴部板２２と底面板２４とに、酸素や水蒸気などの各種バリアー性を付与して、収容物の味覚を長期に保持することができる、また熱湯を注いだ時に、胴部板２２の外面の、カップ原紙４との間に気泡を発生させたポリエチレン層５を手に持って、安全に喫食することができる、予め逆円錐台筒状又は円筒状に成形した発泡断熱カバー６を被せる必要がない、製造工程が簡単な断熱性を有する発泡紙カップ容器を提供することにある。
【０００６】
【課題を解決するための手段】
本発明の発泡紙カップ容器は、カップ原紙４とシーラント層２とを積層して成る、逆円錐台形状又は円筒台形状の紙カップ容器２０において、図１に示すように、紙カップ容器２０の内側には、カップ原紙４とシーラント層２との間にバリアーフィルム層３を積層して、また紙カップ容器２０の外側には、カップ原紙４にポリエチレン層５を積層して、胴部板２２の一方の側面接合部ａと他方の側面接合部ｂとを重ねて熱融着して、底面板２４の周辺を巻込んで逆円錐台形状又は円筒台形状に成形した後に、オーブンなどで加熱して、カップ原紙４とポリエチレン層５との間に気泡を発生させたことを特徴とする発泡紙カップ容器である。
【０００７】
本発明の発泡紙カップ容器においては、適宜のカップ原紙４と適宜のシーラント層２とを積層して成る、最も一般的な逆円錐台形状又は円筒台形状の紙カップ容器２０において、図１Ｆ（  図３  ）に示すように、紙カップ容器２０の内側には、カップ原紙４とシーラント層２との間に、アルミニウム箔やアルミ蒸着付の延伸ポリプロピレンやセラミック蒸着付の延伸ポリエステルなどの、酸素や水蒸気などの各種バリアー性が優れたバリアーフィルム層３を積層したことによって、熱湯を注いで喫食する即席のラーメンやスープや味噌汁などを収容して、フランジ部ｃに図示していない適宜の、同様に酸素や水蒸気などの各種バリアー性が優れた蓋材を被せて密封した時に、逆円錐台形状又は円筒台形状に成形した胴部板２２と底面板２４とに、酸素や水蒸気などの各種バリアー性を付与して、収容物の味覚を長期に保持することができる、断熱性を有する発泡紙カップ容器を提供することができる。
【０００８】
また、本発明の発泡紙カップ容器においては、図１Ｅ  ，Ｆ（  図３  ）に示すように、紙カップ容器２０の内側には、カップ原紙４とシーラント層２との間に、前述したバリアーフィルム層３を積層して、また紙カップ容器２０の外側には、カップ原紙４に、通常の低密度ポリエチレンなどのポリエチレン層５を積層して、従来と同様の最も一般的なカップ成形工程で、胴部板２２の一方の側面接合部ａと他方の側面接合部ｂとを重ねて熱融着して、底面板２４の周辺を巻込んで、図１Ａ  ，Ｂに示す逆円錐台形状又は図１Ｃ  ，Ｄに示す円筒台形状に成形した後に、カップ成形工程に連続したオーブンなどで、１２０℃程度に加熱して、カップ原紙４の外面のポリエチレン層５を軟化させるとともに、カップ原紙４に含有した水分を外面に気化（  バリアーフィルム層３でブロックした内面側には気化しない）させて、カップ原紙４とこの軟化させたポリエチレン層５との間に、細かい気泡を発生させたことによって、熱湯を注いだ時に、胴部板２２の外面の、カップ原紙４との間に気泡を発生させたポリエチレン層５を手に持って、安全に喫食することができる、従来の予め逆円錐台筒状又は円筒状に成形した発泡断熱カバー６を被せる必要がない、製造工程が簡単な断熱性を有する発泡紙カップ容器を提供することができる。
【０００９】
なお、カップ原紙４と軟化させたポリエチレン層５との間に発生させた、細かい気泡については、オーブンなどでの加熱が終了して常温に戻った時に、カップ原紙４の端面から空気が入って、この細かい気泡が殆ど縮まずに残って硬化するために、安全に喫食することができる程度の断熱性を得ることができる。
【００１０】
加えて、本発明の発泡紙カップ容器は、前述した図１に示す発泡紙カップ容器において、図２Ｂに示すように、胴部板２２の一方の側面接合部ａをカップ原紙４側に１８０度折返して、この折返した一方の側面接合部ａと他方の側面接合部ｂとを重ねて熱融着したことを特徴とする発泡紙カップ容器である。
【００１１】
本発明の発泡紙カップ容器においては、カップ原紙４とシーラント層２との間にバリアーフィルム層３を積層して、またカップ原紙４の外面にポリエチレン層５を積層した、胴部板２２の一方の側面接合部ａをカップ原紙４側に１８０度折返して、図２Ｂに示すように、この折返した一方の側面接合部ａのシーラント層２と他方の側面接合部ｂのシーラント層２とを重ねて熱融着したことによって、シーラント層２  ，２どうしの熱融着が完全であるとともに、胴部板２２の切断端部が収容物に接していないために、また図１Ｂ  ，Ｄに示す底面板２４の切断端部も収容物に接していないために、特にカップ原紙４に収容物が浸透して漏れだす恐れがない、衛生的に収容物の味覚を長期に保持することができる、断熱性を有する発泡紙カップ容器を提供することができる。
【００１２】
また加えて、本発明の発泡紙カップ容器は、前述した図２Ｂに示す発泡紙カップ容器において、図２Ｃ  ，図３Ｃに示すように、胴部板２２の一方の側面接合部ａのカップ原紙４の外面側を、ポリエチレン層５とともに削り取って、この削り取った一方の側面接合部ａをカップ原紙４側に１８０度折返したことを特徴とする発泡紙カップ容器である。
【００１３】
本発明の発泡紙カップ容器においては、カップ原紙４とシーラント層２との間にバリアーフィルム層３を積層して、またカップ原紙４の外面にポリエチレン層５を積層した、胴部板２２の一方の側面接合部ａのカップ原紙４の外面側を、図３Ｃに示すように、ポリエチレン層５とともに削り取って、図２Ｃに示すように、この削り取った一方の側面接合部ａをカップ原紙４側に１８０度折返したことによって、胴部板２２の、削り取って折返した一方の側面接合部ａと他方の側面接合部ｂとを重ねて熱融着した時に、胴部板２２の外面側  ，内面側への、熱融着した側面接合部ａ  ，ｂが突出する程度が少ないために、保管  ，取扱いや展示効果などに支障がない、衛生的に収容物の味覚を長期に保持することができる、断熱性を有する発泡紙カップ容器を提供することができる。
【００１４】
【発明の実施の形態】
本発明の、ポリエチレン層５とカップ原紙４とバリアーフィルム層３とシーラント層２とを積層して成る発泡紙カップ容器において、特にカップ原紙４とバリアーフィルム層３とを積層する方法については、後述する実施例に示すような、図示していないウレタン系などの接着剤層を介して、ドライラミネート方法などで強固に積層することが好ましい。
【００１５】
すなわち、通常の２４０ｇ／ｍ２  程度のカップ原紙４の内面側に、前述したアルミニウム箔やアルミ蒸着付の延伸ポリプロピレンやセラミック蒸着付の延伸ポリエステルなどの、酸素や水蒸気などの各種バリアー性が優れた軟化し難いバリアーフィルム層３を、加熱しても軟化しないウレタン系などの接着剤層を介して強固に積層することによって、カップ成形工程に連続したオーブンなどで、１２０℃程度に加熱して、カップ原紙４の外面のポリエチレン層５を軟化させるとともに、カップ原紙４の内面側を、この軟化しない接着剤層と各種バリアー性が優れた軟化し難いバリアーフィルム層３とで完全にブロックして、カップ原紙４に含有した水分を全て外面に気化させて、カップ原紙４とこの軟化させたポリエチレン層５との間に、効果的に細かい気泡を発生させることができる。
【００１６】
また、本発明の発泡紙カップ容器において、カップ原紙４に含有した水分については、通常は８重量％程度であるものの、適宜の方法で１０〜１２重量％程度に加湿する（  シーズニングと通称する  ）ことによって、カップ成形工程に連続したオーブンなどで、１２０℃程度に加熱して、カップ原紙４により多く含有した水分を外面に気化させて、カップ原紙４と軟化させたポリエチレン層５との間に、より多くの細かい気泡を発生させることができる。
【００１７】
【実施例】
＜実施例１＞
図１Ａ  ，Ｂ  ，Ｃ  ，Ｄは、本発明の実施例１における、発泡紙カップ容器の斜視図  ，断面図であって、図１Ｅは、発泡紙カップ容器の水平断面図であって、図１Ｆは、その側面接合部ａ  ，ｂの部分断面図である。
また図３Ａ  ，Ｂは、本発明の実施例１における、発泡紙カップ容器の、胴部板２２のブランクの平面図  ，断面図である。
【００１８】
すなわち、通常の低密度ポリエチレン２０μｍのポリエチレン層５と、通常の２４０ｇ／ｍ２  のカップ原紙４と、酸素や水蒸気などの各種バリアー性が優れたセラミック蒸着付の延伸ポリエステル２０μｍのバリアーフィルム層３と、熱融着性が優れた低密度ポリエチレン４０μｍのシーラント層２とを、カップ原紙４とバリアーフィルム層３との間は、図示していないウレタン系の接着剤層を介して、通常の巻取り式のドライラミネート方法で積層して、またポリエチレン層５とカップ原紙４との間及びバリアーフィルム層３とシーラント層２との間は、それぞれ２０μｍのポリエチレン層５と４０μｍのシーラント層２とを熱溶融して、通常のＴダイ式の押出しラミネート方法で積層した、図３Ｂに示す紙樹脂積層材料を用いて、通常の打抜型を用いた打抜工程で、図３Ａに示す縦と横とが９８×２５８ｍｍの扇形状の胴部板２２のブランクと、図示していない縦と横とが９８×２３２ｍｍの長方形状の胴部板２２のブランクとを、それぞれ作製した。
【００１９】
次に、従来と同様の最も一般的なカップ成形工程で、図１Ｅ  ，Ｆに示すように、図３Ａに示す扇形状の胴部板２２のブランクと、図示していない長方形状の胴部板２２のブランクとの、一方の側面接合部ａと他方の側面接合部ｂとを重ねて熱融着して、それぞれ円形の底面板２４の周辺を巻込んで、図１Ａ  ，Ｂに示す高さが９５ｍｍで口径が８０ｍｍ（  底径が６５ｍｍ  ）の逆円錐台形状に成形した後に、また図１Ｃ  ，Ｄに示す高さが９５ｍｍで内径が７２ｍｍの円筒台形状に成形した後に、カップ成形工程に連続したオーブン装置で、それぞれ１２０℃で３秒間加熱して、カップ原紙４の外面のポリエチレン層５を軟化させるとともに、カップ原紙４に含有した水分を外面に気化（  バリアーフィルム層３でブロックした内面側には気化しない  ）させて、カップ原紙４とこの軟化させたポリエチレン層５との間に、それぞれ細かい気泡を発生させたところ、オーブン装置での加熱が終了して常温に戻った時に、カップ原紙４の端面から空気が入って、この細かい気泡が殆ど縮まずに残って硬化した、それぞれ断熱性を有する発泡紙カップ容器を得ることができた。
【００２０】
本実施例の発泡紙カップ容器においては、通常の２４０ｇ／ｍ２  のカップ原紙４と熱融着性が優れた低密度ポリエチレン４０μｍのシーラント層２との間に、酸素や水蒸気などの各種バリアー性が優れたセラミック蒸着付の延伸ポリエステル２０μｍのバリアーフィルム層３を積層して、逆円錐台形状又は円筒台形状に成形した胴部板２２と底面板２４とに、酸素や水蒸気などの各種バリアー性を付与したことによって、収容物の味覚を長期に保持することができる、断熱性を有する発泡紙カップ容器であって、
通常の２４０ｇ／ｍ２  のカップ原紙４の外面に、通常の低密度ポリエチレン２０μｍのポリエチレン層５を積層して、逆円錐台形状又は円筒台形状に成形した後に、カップ成形工程に連続したオーブン装置で、それぞれ１２０℃で３秒間加熱して、カップ原紙４と軟化させたポリエチレン層５との間に、それぞれ細かい気泡を発生させて、この細かい気泡が殆ど縮まずに残って硬化したために、熱湯を注いだ時に、胴部板２２の外面の、この細かい気泡が殆ど縮まずに残って硬化したポリエチレン層５を手に持って、安全に喫食することができる、断熱性を有する発泡紙カップ容器を得ることができた。
【００２１】
＜実施例２＞
図２Ａは、本発明の実施例２における、発泡紙カップ容器の水平断面図であって、図２Ｂ  ，Ｃは、その側面接合部ａ  ，ｂの部分断面図である。
また図３Ａ  ，Ｂ  ，Ｃは、本発明の実施例２における、発泡紙カップ容器の、胴部板２２のブランクの平面図  ，断面図である。
【００２２】
すなわち、それぞれ実施例１と同一の、２０μｍのポリエチレン層５と２４０ｇ／ｍ２  のカップ原紙４と２０μｍのバリアーフィルム層３と４０μｍのシーラント層２とを、実施例１と全く同様に積層して、通常の打抜型を用いた打抜工程で、図３Ａ  ，Ｂに示す縦と横とが９８×２５８ｍｍの、実施例１と同一の扇形状の胴部板２２のブランクを作製するとともに、別に通常の高速グラインダー装置で、図３Ａ  ，Ｂに示す扇形状の胴部板２２のブランクの、一方の側面接合部ａの２４０ｇ／ｍ２  のカップ原紙４の外面側の厚さ約半分を、２０μｍのポリエチレン層５とともに削り取って、図３Ａ  ，Ｃに示す扇形状の胴部板２２のブランクを作製した。
【００２３】
次に、折返し機構を付加した通常のカップ成形工程で、図２Ａ  ，Ｂ  ，Ｃに示すように、図３Ａ  ，Ｂに示す扇形状の胴部板２２のブランクの、一方の側面接合部ａをカップ原紙４側に１８０度折返して、また図３Ａ  ，Ｃに示す扇形状の胴部板２２のブランクの、削り取った一方の側面接合部ａをカップ原紙４側に１８０度折返して、それぞれ折返した一方の側面接合部ａと他方の側面接合部ｂとを重ねて熱融着して、円形の底面板２４の周辺を巻込んで、それぞれ高さが９５ｍｍで口径が８０ｍｍ（  底径が６５ｍｍ  ）の、実施例１と同一の逆円錐台形状に成形した後に、カップ成形工程に連続したオーブン装置で、それぞれ１２０℃で３秒間加熱して、カップ原紙４と軟化させたポリエチレン層５との間に、それぞれ細かい気泡を発生させて、この細かい気泡が殆ど縮まずに残って硬化した、それぞれ断熱性を有する発泡紙カップ容器を得ることができた。
【００２４】
本実施例の発泡紙カップ容器においては、収容物の味覚を長期に保持することができる、また熱湯を注いだ時に、胴部板２２の外面の、細かい気泡が殆ど縮まずに残って硬化したポリエチレン層５を手に持って、安全に喫食することができる、実施例１の断熱性を有する発泡紙カップ容器に加えて、
図３Ａ  ，Ｂに示す扇形状の胴部板２２のブランクの、一方の側面接合部ａをカップ原紙４側に１８０度折返して、また図３Ａ  ，Ｂに示す扇形状の胴部板２２のブランクの、一方の側面接合部ａの２４０ｇ／ｍ２  のカップ原紙４の外面側の厚さ約半分を、２０μｍのポリエチレン層５とともに削り取って、この削り取った一方の側面接合部ａをカップ原紙４側に１８０度折返して、それぞれ折返した一方の側面接合部ａと他方の側面接合部ｂとを重ねて熱融着したことによって、胴部板２２の切断端部が収容物に接していないために、衛生的に収容物の味覚を長期に保持することができる、また胴部板２２の外面側  ，内面側への、熱融着した側面接合部ａ  ，ｂが突出する程度が少ないために、保管  ，取扱いや展示効果などに支障がない、それぞれ断熱性を有する発泡紙カップ容器を得ることができた。
【００２５】
【発明の効果】
以上、実施例ほかに示すとおり、本発明の発泡紙カップ容器においては、熱湯を注いで喫食する即席のラーメンやスープや味噌汁などを収容する、逆円錐台形状又は円筒台形状に成形した胴部板２２と底面板２４とに、酸素や水蒸気などの各種バリアー性を付与して、収容物の味覚を長期に保持することができる、また熱湯を注いだ時に、胴部板２２の外面の、カップ原紙４との間に細かい気泡を発生させて、この細かい気泡が殆ど縮まずに残って硬化したポリエチレン層５を手に持って、安全に喫食することができる、予め逆円錐台筒状又は円筒状に成形した発泡断熱カバー６を被せる必要がない、製造工程が簡単な断熱性を有する発泡紙カップ容器を提供することができる。
【図面の簡単な説明】
【図１】本発明の実施例１における、図１Ａ  ，Ｂ  ，Ｃ  ，Ｄは、発泡紙カップ容器の斜視図  ，断面図であって、図１Ｅは、発泡紙カップ容器の水平断面図であって、図１Ｆは、その側面接合部ａ  ，ｂの部分断面図である。
【図２】本発明の実施例２における、図２Ａは、発泡紙カップ容器の水平断面図であって、図２Ｂ  ，Ｃは、その側面接合部ａ  ，ｂの部分断面図である。
【図３】本発明の実施例１  ，実施例２における、図３Ａ  ，Ｂ  ，Ｃは、発泡紙カップ容器の、胴部板２２のブランクの平面図  ，断面図である。
【図４】従来の、図４Ａ  ，Ｂは、紙カップ容器３０の斜視図  ，断面図であって、図４Ｃは、紙カップ容器３０の水平断面図であって、図４Ｄは、その側面接合部ａ  ，ｂの部分断面図である。
【符号の説明】
２          …シーラント層
３            …バリアーフィルム層
４            …カップ原紙
５            …ポリエチレン層
６          …発泡断熱カバー
２０  ，３０    …紙カップ容器
２２  ，３２  …胴部板
２４  ，３４  …底面板
ａ  ，ｂ      …側面接合部
ｃ            …フランジ部
【図１】
2004231197.tif 000003
【図２】
2004231197.tif 000004
【図３】
2004231197.tif 000005
【図４】
2004231197.tif 000006